(57)【特許請求の範囲】
【請求項１】
合成樹脂製で、容器（１）の口部（２）を遮断する頂壁（３）、及び該頂壁（３）の外側に一体に形成された、環状の上壁（２８）を有し、前記口部（２）を内外から圧接挟持する内筒（１７）及び筒部（４）から成る蓋体（５）；前記筒部（４）の内側に周方向に形成された、前記口部（２）外周の凹条（６）に圧接係合する突条（７）；前記筒部（４）下端に形成された切欠き（８）；該切欠き（８）に接続し、右斜め上方に向けて形成された裂切りガイド（９）；前記突条（７）の下に達して形成された、前記突条（７）と上下に交叉する第一弱化線（１０）と接続する前記裂切りガイド（９）の上端部（１１）；該上端部（１１）から周方向に延設された前裂切りガイド(９)の延設部（１５）；該延設部（１５）に接して形成された、周方向の弱化ライン（１２）；該弱化ライン（１２）の末端部（１３）に連続し、かつ前記第一弱化線（１０）と対応して設けられた、前記突条７と上下方向に交叉する第二弱化線（１４）；前記裂切りガイド（９）、弱化ライン（１２）、第一、第二各弱化線（１０）、（１４）のそれぞれが、連続して分離させられた際に、前記四者（９）、（１０）、（１２）、（１４）によって形成された部分が略鍵状に形成されていることを特徴とする容器用キャップ。
【請求項２】
突条（７）は凹条（６）の最深部（１６）より上部において圧接係合している請求項１記載の容器用キャップ。
【請求項３】
蓋体（５）は中蓋であり、頂壁（３）は無端状の裂溝（１８）を有し、かつ上部に裂取部材（１９）を有し、前記中蓋上に設けられる外蓋（２０）を有している請求項１又は２記載の容器用キャップ
【発明の詳細な説明】
【０００１】
【産業上の利用分野】
この発明は容器の口部に装着して用いる容器用キャップに関するものである。
【０００２】
【従来の技術】
従来、容器のリサイクルの手間を軽減するために、キャップの筒部を裂切る技術が開発され、提供されている。その一例を挙げれば、図６に示すような実開平７ー８２５３号公報記載のキャップがある。
この発明は上記従来のキャップを改良するものであるので、まずこの従来のキャップについて説明する。なおこのキャップの各部の名称は上記公報記載の名称に従う。
【０００３】
同図において、１０１は栓本体であり、合成樹脂により形成され、筒状の周壁１０２を有している。１０３は薄肉破断線、１０４は破断開口部、１０５はプルリングを示す。そして前記周壁１０２の内側には、図示しない容器口部の外周の凹条と圧接係合する突条が形成されており、この突条は打栓の際に一度の打栓で前記容器口部の凹条に係合し、こうしてその容器口部を密閉できるようになっている。１０６は環状頂壁、１０７は螺筒、１０８は注出筒、１０９は摘みである。なお、前記螺筒１０７に螺合する外蓋があるが、図示を省略されている。
このキャップを装着した容器のリサイクルの際、摘み１０９を摘んで上方に引上げ、薄肉破断線１０３を裂切るのである。
そうすると周壁１０２の内側に設けられている突条が２箇所で破断され、容器口部の前記凹条に対する前記突条の圧接係合が緩み、従ってこのキャップを容器口部から外しとることができる。
【０００４】
しかし上記従来のキャップは以下に述べるような難点を有している。
それは、前記摘み１０９が半径方向外方に突出して設けられており、このキャップを容器から外す場合に、この摘み１０７を摘んで上方に引っ張り、薄肉破断線１０３を裂切るのであるが、一般にキャップ等において、薄肉の裂溝は意外に裂切りが難しく、非力な家庭の婦女子等にとって困難な場合がある。そして上記のように外方に突出して設けられている摘み１０９は、容器の取扱い中の障害となるため充分に大きく形成することができない。従って小さく形成せざるを得ず、このため摘み１０９は親指及び人差し指の各先端部によって摘むことしかできず、他の指を参加させることができない。このため大きな力を加えることができず、従って薄肉破断線１０３の破断は非力な婦女子等にとって困難である。
又前記摘み１０９は半径方向外方に直角に突出して設けられており、使用の際は、この摘み１０９を摘んで上方に引っ張るのであるが、一般に合成樹脂により形成された突出物を摘んで上方に引っ張れば必ず曲げが生じ、この曲げにより加えられた力は分散され、このため破断線１０３の破断が容易に開始されないのであ
る。
【０００５】
【発明が解決しようとする課題】
この発明は前記のような問題を解決するためになされたもので、その目的は、前記のように、キャップの周壁１０２内面に設けた突条が容器口部の凹条に圧接係合する形式の容器用キャップにおいて、容器のリサイクルの際にきわめて扱い易くキャップを容器から取り外すことができる、容器用キャップを提供することである。
【０００６】
又他の目的は突条裂切りの際に前記従来のものよりも把持する面積が大きく、従って親指及び人差指だけでなく、他の指もすべて用いることができ、従って一層大きな力をかけることのできる、容器用キャップを提供することである。
【０００７】
【課題を解決するための手段】
上記の目的を達成するこの発明について述べるとそれは、合成樹脂製で、容器１の口部２を遮断する頂壁３、及び該頂壁３の外側に一体に形成された、環状の上壁２８を有し、前記口部２を内外から圧接挟持する内筒１７及び筒部４から成る蓋体５；前記筒部４の内側に周方向に形成された、前記口部２外周の凹条６に圧接係合する突条７；前記筒部４下端に形成された切欠き８；該切欠き８に接続し、右斜め上方に向けて形成された裂切りガイド９；前記突条７の下に達して形成された、前記突条７と上下に交叉する第一弱化線１０と接続する前記裂切りガイド９の上端部１１；該上端部１１から周方向に延設された前記裂切りガイド９の延設部１５；該延設部１５に接して形成された、周方向の弱化ライン１２；該弱化ライン１２の末端部１３に連続し、かつ前記第一弱化線１０と対応して設けられた、前記突条７と上下方向に交叉する第二弱化線１４；前記裂切りガイド９、弱化ライン１２、第一、第二各弱化線１０、１４のそれぞれが、連続して分離させられた際に、前記四者９、１０、１２、１４によって形成された部分が略鍵状に形成されていることを特徴とする容器用キャップである。
【０００８】
又、突条７は凹条６の最深部１６より上部において圧接係合している前記容器用キャップである。
又、蓋体５は中蓋であり、頂壁３は無端状の裂溝１８を有し、かつ上部に裂取部材１９を有し、前記中蓋上に設けられる外蓋２０を有している前記容器用キャップである。
【０００９】
【発明の実施の形態】
図１及び図２において、１は容器であり、一例として瓶が示されている。この瓶はガラス製でも合成樹脂製でも差支えない。２はその口部を示す。３は容器１の内容物（図示省略）の通行を遮断する頂壁であり、４は前記口部２の外周に圧接する筒部を示す。５は上記のように形成された蓋体である。そして７は突条であり、前記容器の口部２の外周に形成された凹条６に圧接係合するようになっている。８は前記筒部４の下端に形成された切欠きであり、この切欠き８から、右斜め上方に向けて裂切りガイド９が形成されている。２６はその結果相対的に形成された摘みを示す。図１に示す裂切りガイド９は前記切欠き８に連接した、切欠き８より小さい小切欠き２１、及び同小切欠き２１と同一方向に形成された穴２２と、この穴２２に接続された裂溝２３から成っている。但しこれは一例であり、後記の第一弱化線１０、及び弱化ライン１２等を裂切る場合に、裂切りのガイドを務めるための弱化部であれば良く、前記のような小切欠き２１、穴２２、裂溝２３等の複数の弱化部の組み合せでもよく、又はそれらのうちの一種類だけでもよく、それらをすべて含むものである。
【００１０】
なお上記裂切りガイド９については図４に示すように構成されてもよい。図４に示すものは切欠き８に続く長切欠きとして形成され、初め斜め上方に形成され、その上端部１１において上下方向の第一弱化線１０と接続したあとは周方向に延設１５され、略へ字状に形成されている。これにより、この第一弱化線１０に続く周方向の弱化ライン１２が裂切り易く形成されている。
１０は前記のように第一弱化線であり、一例として裂溝状に形成され、その下端部２４は前記裂切りガイド９の上端部１１に連続し、かつ上端部２５は前記突条７と上下方向に交叉して、突条７より上に位置している。１２は前記裂切りガイド９に連続し、かつ前記筒部４の周方向に形成された弱化ラインであり、一例として裂溝状に形成されている。但し、この弱化ライン１２も裂溝状の外、ミシン目、連続した小孔、またはそれらの組み合せであっても差支えはない。
【００１１】
そして該弱化ライン１２の末端部１３は、前記裂切りガイド９を仮に左斜め上方に対称的に形成した場合を想定し、概略その上端部１１の位置するであろう位置に形成され、かつ該末端部１３に連接して上下方向に形成された第二弱化線１４が形成されている。そしてその連接部２７は弧状に形成されている。この弧状の形状は裂切りの際円滑に裂切ることができるものである。なお第二弱化線１４も前記突条７と上下方向に交叉し、上端部２５は突条７の上方に達しさせられている。又前記第一、第二両弱化線１０、１４は対応し、平行に形成させられている。そして前記裂切りガイド９、弱化ライン１２、第一、第二両弱化線１０、１４のそれぞれを連続して分離させた場合、前記四者９、１０、１２、１４により形成される部分は略鍵状になるようになっている。
【００１２】
容器のリサイクルの際は、前記摘み２６を摘んで右方向に引っ張り、図１に示すキャップにおいては裂切りガイド９を裂切り、又図４に示すキャップにおいては変形させ、次にこれに続く弱化ライン１２を裂切る。そしてその裂切りが弱化ライン１２の末端部１３に達した際、図３に示すように切り離されて直線状に、帯状に形成された、前記筒部４の、弱化ライン１２の下方の部分を、中指、薬指、小指の各第一、第二間節の間に位置させ、かつ前記三指を内側に屈曲して圧接して把持し、かつ親指、人差指により前記筒部４の前記切り欠き８の上部を摘み、この部分を、前記第一、第二両弱化線１０、１４を裂切るように外方でかつ斜め上方に押し上げる。
【００１３】
そうすると、前記帯状部を充分強く把持することができるから、第一、第二両弱化線１０、１４の裂切に充分な力を加えることができ、第一、第二両弱化線１０、１４は容易に裂切られ、従って前記突条７は二箇所で切断される。
このため突条７と凹条６の圧接係合は緩み、このキャップを容易に容器１から外し取ることができる。
そしてこのキャップは前記のように第一弱化線１０と裂切りガイド９、弱化ライン１２の三者の接続部は角状に形成され、弱化ライン１２の末端部１３弧状に、第二弱化線と接続して形成されているため、摘み２６を外方向に引っ張ると、前記三者１０、９、１２の接続部は角部による応力集中が起り爽快に裂切れ、その付勢により弱化ライン１２も円滑に裂切れ、次にその裂切りが第一、第二両弱化線１０、１４の下部の接続に及んだ際、第一弱化線１０の接続部は摘み２６からの距離が遠い方にあるにもかかわらず、その接続部が角部のため、前記応力集中のため裂切れ易く、又第二弱化線１４の下部は摘み２６に近い距離ににあるため、裂切りの力がかかり易く、かつ弧状のため、応力集中が起りにくく、従って前記第一弱化線１０下部の応力集中による力を二分することなく、裂切りの開始を起こり易く形成できると共に弧状のため裂切りを円滑に進めることができ、こうして第一、第二両弱化線の下部の裂切りを容易に開始させることができる。
【００１４】
次にこのキャップを消費者等が中蓋として使用する際は、このキャップは内筒１７及び筒部４により前記口部２を挟持圧接して設けられている。消費者等は外蓋２０を外し、裂取部材１９を上方に引っ張り、裂溝１８の内側に通口を形成して容器１内の、図示しない液体商品等を注出して用いる。
【００１５】
【発明の効果】
この発明は前記のように構成されたことにより、請求項１の発明は斜め上方方向、周方向、及び上方方向の裂切り、又は周方向及び上方方向の裂切りを連続的に一つの動作として行なうことができる。又裂切られた、弱化ライン１２の下の筒部４の部分は、中指、薬指、小指の各第一関節及び第二関節間に位置させ、かつ前記各指を内側に屈曲して充分強くで把持することができ、又親指、人差指で切り欠き８の上部の、筒部４の部分を摘むことができ、前部の指を参加させて、第一、第二両弱化線１０、１４の裂切りに力を加えることができるから、上記裂切りの際に把持部分を滑りにより逸してしまう恐れをなくすことができる。又上記のようにすべての指を参加させ得る長い把持部分を作ることができるから容易に第一、第二両弱化線１０、１４を裂切ることができ、容易にこのキャップを容器１から外し取ることができる。
【００１６】
この発明は裂切りガイド９の延設部１５を周方向に形成したことにより、周方向に形成された弱化ライン１２の裂切りに付勢することができ、第一、第二両弱化線１０、１４の裂切りにその付勢を及ぼすことができ、第一、第二両弱化線１０、１４の裂切りの開始を容易にすることができる。
又この発明は突条７と凹条６の圧接係合は、容器１の密閉を充分に行なうことができると共に容器１のリサイクルの際は、容器１とキャップの分離を容易にすることができる。かつ又その構成により突起７の突出量その分少なくなるから、第一、第二両弱化線１０、１４の裂切りを容易にすることができる。
【００１７】
この発明は容器のリサイクルの際に、すべての指を参加させて容易に容器から取り外せるキャップにおいて、最初の開放までは密閉でき、しかもその開放も容易にできるキャップを提供することができる。
【図面の簡単な説明】
【図１】この発明の実施例を示し、容器とそのキャップの正面図である。
【図２】図１に示す容器とそのキャップの半断面図である。
【図３】図１及び図２に示す容器とそのキャップにおいて、容器からキャップを外し取る場合の説明図である。
【図４】この発明の他の実施例を示し図１に相当する図である。
【図５】図４に示す容器とそのキャップの断面図である。
【図６】従来の、この発明と同種のキャップの斜視図である。
【符号の説明】
１        容器
２        口部
３        頂壁
４        筒部
５        蓋体
６        凹条
７        突条
８        切欠き
９        裂き切りガイド
１０        第一弱化線
１１        上端部
１２        弱化ライン
１３        末端部
１４        第二弱化線
１５        延設部
１６        最深部
１７        内筒
１８        裂溝
１９        裂取部材
２０        外蓋
【図１】
0003906448.tif 000002
【図２】
0003906448.tif 000003
【図３】
0003906448.tif 000004
【図４】
0003906448.tif 000005
【図５】
0003906448.tif 000006
【図６】
0003906448.tif 000007